(57)【要約】【課題】利用者のロック操作を必要とせず、操作パネルを正常な位置に取り付けることができるパネル取付構造を提供する。【解決手段】装置本体２と、この装置本体２の側部前面にコネクタ３１を介して着脱可能に取り付けられる操作パネル３とを備えたパネル取付構造において、装置本体２は、操作パネル３の少なくとも一部又は全部が嵌り込む嵌合凹部１１ａを備え、この嵌合凹部１１ａは、操作パネル３を装置本体２に取り付けたときに操作パネル３と当接してコネクタ３１の接続位置を矯正する突起４５を備える。【選択図】図１０
2009076751.tif 000002
【特許請求の範囲】
【請求項１】
装置本体と、この装置本体の側部前面にコネクタを介して着脱可能に取り付けられる操作パネルとを備えたパネル取付構造において、
前記装置本体は、前記操作パネルの少なくとも一部又は全部が嵌り込む嵌合凹部を備え、この嵌合凹部は、前記操作パネルを前記装置本体に取り付けたときに前記操作パネルと当接して前記コネクタの接続位置を矯正する突起を備えたことを特徴とするパネル取付構造。
【請求項２】
前記装置本体は、その前方に引き出し可能なＤＣＰホルダを備え、前記操作パネルは前記ＤＣＰホルダに取り付けられて前記嵌合凹部に嵌り込むことを特徴とする請求項１に記載のパネル取付構造。
【請求項３】
前記操作パネルは、前記ＤＣＰホルダにその上側から下側に向けてスライドさせて取り付けられ、前記突起は、前記操作パネルを前記装置本体に取り付けたときに、操作パネルを下側に向けて押圧するように構成されていることを特徴とする請求項２に記載のパネル取付構造。
【請求項４】
前記嵌合凹部は、前記操作パネルの外形状を囲うように形成され、前記突起は、前記操作パネルの上面と当接するように前記嵌合凹部の上壁部から下側に向けて突出していることを特徴とする請求項３に記載のパネル取付構造。
【請求項５】
前記突起は、前記操作パネルの幅方向に亘って形成されていることを特徴とする請求項３または請求項４に記載のパネル取付構造。
【請求項６】
前記突起が少なくとも前記コネクタの上方に配置されていることを特徴とする請求項３または請求項４に記載のパネル取付構造。
【請求項７】
前記突起は、前記嵌合凹部の前後方向に延在していることを特徴とする請求項１から請求項６のいずれか１つに記載のパネル取付構造。
【請求項８】
前記コネクタは、前記装置本体に少なくとも２つ設けられていることを特徴とする請求項１から請求項７のいずれか１つに記載のパネル取付構造。
【発明の詳細な説明】
【技術分野】
【０００１】
本発明は、装置本体に対し着脱可能に取り付けられる操作パネルの取付構造に関する。
【背景技術】
【０００２】
自動車等の移動体に取り付けられるＣＤ及びカセットプレーヤ等の音響機器の側部前面には、音響機器の操作（例えば、音量調節、早送りなど）に必要な操作パネル（ＤＣＰ、Detachable control panel）が設けられている。この操作パネルは、装置本体から着脱可能に構成されており、利用者が自動車等から離れる際にこの操作パネルを持ち運ぶようにすることで、音響機器の盗難を防止している。
【０００３】
この操作パネルの取付構造（着脱構造）としては、種々のものが知られている。例えば、横長に形成された操作パネルの長手方向の一端部（例えば右端部）を装置本体に引っ掛けた後に、他端部（左端部）を押し込んでばね等の付勢力を利用して係止するものであり、この付勢力を操作パネルの外側から解除可能にすることで、操作パネルを装置本体から自由に着脱できるようにしている。この操作パネルは、着脱可能なコネクタによって接続されており、このコネクタを介して操作パネルと装置本体との信号の送受信が行われている（例えば、特許文献１参照）。
【０００４】
一方、多くの信号を送受信しようとする場合、接続されるコネクタのピン数が増加する。そのため、コネクタの数が１つでは足りず、２つ或いはそれ以上設ける必要がある。この場合、例えば、２つのコネクタは、操作パネルが横長であることから、操作パネルの長手方向に並設されることになるが、操作パネルを上述のように横方向に着脱する方法では、コネクタの可動範囲よりもＤＣＰコネクタの着脱により動く範囲の方が大きくなるため、２つのコネクタが嵌合しづらい。そのため、操作パネルの着脱を横方向ではなく上下方向にずらして行い、コネクタの嵌合を容易にすることが望ましい。
【０００５】
このような取付構造としては、例えば、操作パネルが取り付けられるＤＣＰホルダを設け、このＤＣＰホルダをスロープ機構によって前方へ引き出し可能とし、操作パネルをこのＤＣＰホルダに対して下側へずらして取り外すようにしたものがある（例えば、特許文献２参照）。この構造では、ＤＣＰホルダを前方へ引き出したときに、操作パネルの下部が前方斜め下側へ突き出るようになり、この状態から操作パネルを上下にスライドさせて着脱することになる。
【０００６】
しかしながら、上述の構造では、操作パネルに物（その他、利用者の手など）が誤って当たってしまう場合がある。物が当たった場合には、操作パネルがＤＣＰホルダに対して正常な位置からややずれた状態（ハーフロックの状態）になってしまい、コネクタの接続（接触）不良が生じることがある。従来構造では、このようなハーフロックを防止するために、ＤＣＰホルダと操作パネルとが正常な位置で取り付けられたときに、操作パネルをＤＣＰホルダにロックするための手動のスライドロック機構が設けられている。
【特許文献１】特開平７−１３２７７９号公報
【特許文献２】特開２００２−１４１６７７号公報
【発明の開示】
【発明が解決しようとする課題】
【０００７】
しかしながら、利用者が操作パネルを着脱する度にロック機構を手動でスライド操作することは煩わしい。また、利用者がロック操作を忘れた場合には、操作パネルがハーフロックの状態になるおそれがある。
【０００８】
本発明は、上述した事情に鑑みてなされたものであり、利用者のロック操作を必要とせず、操作パネルを正常な位置に取り付けることができるパネル取付構造を提供することを目的とする。
【課題を解決するための手段】
【０００９】
本発明では、装置本体と、この装置本体の側部前面にコネクタを介して着脱可能に取り付けられる操作パネルとを備えたパネル取付構造において、前記装置本体は、前記操作パネルの少なくとも一部又は全部が嵌り込む嵌合凹部を備え、この嵌合凹部は、前記操作パネルを前記装置本体に取り付けたときに前記操作パネルと当接して前記コネクタの接続位置を矯正する突起を備えたことを特徴とする。
この構成によれば、操作パネルを装置本体に取り付けたときに、操作パネルが突起によって正常な位置に誘導されて、コネクタが正常に接続されるようになる。
【００１０】
また、前記装置本体は、その前方に引き出し可能なＤＣＰホルダを備え、前記操作パネルは前記ＤＣＰホルダに取り付けられて前記嵌合凹部に嵌り込むようにしてもよい。
さらに、前記操作パネルは、前記ＤＣＰホルダにその上側から下側に向けてスライドさせて取り付けられ、前記突起は、前記操作パネルを前記装置本体に取り付けたときに、操作パネルを下側に向けて押圧するように構成することもできる。
【００１１】
また、前記嵌合凹部は、前記操作パネルの外形状を囲うように形成され、前記突起は、前記操作パネルの上面と当接するように前記嵌合凹部の上壁部から下側に向けて突出するようにしてもよい。
さらに、前記突起は、前記操作パネルの幅方向に亘って連続して形成されていてもよい。
【００１２】
また、前記突起が少なくとも前記コネクタの上方に配置されていてもよい。
さらに、前記突起は、前記嵌合凹部の前後方向に延在していてもよい。
さらにまた、前記コネクタが少なくとも２つ設けられていてもよい。
【発明の効果】
【００１３】
本発明によれば、操作パネルを装置本体に取り付けたときに、操作パネルが突起によって正常な位置に誘導されて、コネクタが正常に接続されるようになる。そのため、操作パネルがハーフロックの状態のままになるのを防止することができる。また、ハーフロックの状態のままにならないため、コネクタの接続不良が生じない。さらには、ロック機構自体を装置本体に設ける必要がなくなり、装置本体の構造を簡素化することができるとともに、コストを削減することができる。
【発明を実施するための最良の形態】
【００１４】
以下、本発明の実施の形態に係るパネル取付構造について、図面を参照しながら説明する。図１は、本発明の実施の形態に係るパネル取付構造によって取り付けられた操作パネルの正面図、図２は、図１の状態から操作パネルを前方に引き出した状態の正面図、図３は、図２の側面図である。なお、本実施の形態では、音響機器としてカーオーディオ装置１について説明する。
【００１５】
車載用のカーオーディオ装置１は、図１および図２に示すように、左右方向に横長（幅広）に形成された箱形形状の装置本体２と、この装置本体２の側部前面の全体を覆うように取り付けられる操作パネル（以下、ＤＣＰという）３とを備えている。
この装置本体２には、その内部にＣＤを再生するための各種機器が収納されている。また、この装置本体２の側部前面には、ＤＣＰ３の外形状を囲う態様で枠体１１が設けられている。すなわち、この枠体１１の内側にＤＣＰ３が取り付けられている。
【００１６】
ＤＣＰ３は、カーオーディオ装置１の表示手段および操作手段として機能するものであり、液晶パネル５と、当該液晶パネル５上に設けられたタッチパネル６と、液晶パネル５の左右両側に配設された複数の操作キー７とを有している。液晶パネル５の上下縁部には上フレーム８Ａおよび下フレーム８Ｂが設けられ、これら上フレーム８Ａおよび下フレーム８Ｂにより液晶パネル５が挟持される。また下フレーム８Ｂには液晶パネル５との隣接部分に沿ってほぼ等間隔に凹部９が４箇所形成されている。これら凹部９は、タッチパネル６上の操作箇所を案内するものである。具体的には、液晶パネル５には、これら４箇所の凹部９に対応して４つの操作キー１０が表示され、ユーザが下フレーム８Ｂ上で指を摺動させれば、液晶パネル５に表示された操作キー１０の位置を凹部９の位置から察することができるようになっている。したがって、ユーザは液晶パネル５を見なくとも、タッチパネル６の操作を容易に行うことができる。
【００１７】
ＤＣＰ３の操作キー７としては、電源・ボリュームキー７Ａ、ソースボタン７Ｂ、オープン・イジェクトボタン７Ｃ、アジャストボタン７Ｄ、モードボタン７Ｅ、サウンドボタン７Ｆ、および、ＩＳＲボタン７Ｇが設けられている。電源・ボリュームキー７Ａはロータリーキースイッチとして構成され押下操作によって電源がオン・オフし、また、回転操作によってボリューム（音量）が調整される。ソースボタン７Ｂは音源ソースを切り換えるための押下式ボタンであり、押下の度に、再生する音源ソースが切り換えられる。音源ソースとしては、装置本体２に内蔵されたラジオ音源やＣＤ音源、装置本体２に通信可能に接続されたＣＤチェンジャーやＤＶＤチェンジャー、および、外部音声入力端子から入力される外部音声などが用いられている。
【００１８】
オープン・イジェクトボタン７ＣはＤＣＰ３を開くための押下式ボタンであり、ＤＣＰ３が閉じた状態でオープン・イジェクトボタン７Ｃが押下されると、後述するＤＣＰホルダ３０に取り付けられたＤＣＰ３がスロープ機構１２によって装置本体２から押し出されるように傾倒して開状態となり、装置本体２の正面（フロント部分）が露出する（図２参照）。装置本体２の正面にはＣＤの挿入口２０が設けられており、ＤＣＰ３を開状態とすることで装置本体２へのＣＤの挿脱が可能となる。また、ＤＣＰ３が開いた状態で上記オープン・イジェクトボタン７Ｃを操作した場合には、挿入口２０からのＣＤ２１の挿入・排出動作が行われる。さらに、ＤＣＰ３が開状態となった場合には、所定時間経過後に、後述するリンク機構１３が作動して、自動で閉状態となる。
【００１９】
アジャストボタン７Ｄは装置本体２の各種の設定や調整をするときに使用される操作ボタンである。モードボタン７Ｅは例えばＣＤ再生時の再生モードを設定するための押下式ボタンであり、押下の度に、リピート再生やランダム再生といった再生モードが切り替わり設定される。また、当該モードボタン７Ｅが長押操作された場合には、液晶パネル５の表示が標準表示とデザインを省略して視認性を向上させたシンプル表示との間で表示が切り換えられる。サウンドボタン７Ｆは音響に関する各種の設定や調整をするときに使用される操作ボタンである。ＩＳＲボタン７Ｇは現在の音源ソースの選択状態にかかわらず、特定のラジオチャンネルを受信してラジオ音声を出力させるための操作ボタンである。
【００２０】
また、ＤＣＰ３の正面には、車室内の明るさを感知するフォトセンサの受光窓１４ａと、リモートコントローラからの信号を受光するための受光窓１４ｂとが設けられている。カーオーディオ装置１にあっては、上記フォトセンサで感知した車室内の明るさに応じて液晶パネル５のバックライトの輝度が調整されるようになっている。
【００２１】
このＤＣＰ３は、後述するＤＣＰホルダ３０（図６参照）に着脱可能に取り付けられており、このＤＣＰホルダ３０と共にＤＣＰ３を装置本体２の前側に引き出すことにより（図２および図３参照）、ＤＣＰ３を前側に引き出すことができるようになっている。より詳細には、ＤＣＰ３に配置されているオープン・イジェクトボタン７Ｃを深く押し込むと、後述するスロープ機構１２（図６参照）と連動して、図３に示すように、ＤＣＰホルダ３０（及びＤＣＰ３）の下部が前方斜め下側に向けて引き出される態様で傾動する。また、ＤＣＰホルダ３０が引き出されると、図２および図３に示すように、ＣＤ２１の挿入口２０が装置本体２の前面に露出した状態となる。このようにＤＣＰ３及びＤＣＰホルダ３０とを前方に傾動させた状態で、挿入口２０にＣＤ２１あるいはメモリを挿入することができるようになっている。
【００２２】
図４は、図２及び図３の傾動した状態からＤＣＰ３を取り外そうとしている状態を示す斜視図である。また、図５は、引き出されたＤＣＰ３及びＤＣＰホルダ３０を装置本体２に取り付けた状態を示す斜視図である。
ＤＣＰ３は、図４に示すように、ＤＣＰホルダ３０を前方に引き出した状態からＤＣＰ３の下面部３ｂを矢印Ａ方向（ＤＣＰ３を正面から見て上方向）に押し出してＤＣＰ３をスライドさせることにより、ＤＣＰホルダ３０から取り外すことができるようになっている。また、取り外されたＤＣＰ３は、引き込まれて閉状態になったＤＣＰホルダ３０の正面側から矢印Ａ方向に押し込むことによって取り付けることができる。そして、図５に示すように、ＤＣＰ３が装置本体２に装着される。
【００２３】
図６は、ＤＣＰホルダ３０及びスロープ機構１２の概要を示す斜視図である。なお、図６では、説明を容易にするためにＤＣＰ３を取り外した状態で示してある。さらに、図６では、装置本体２に取り付けられる枠体１１が記載してある。
ＤＣＰホルダ３０には、長手方向（幅方向）に並べて配置された２つのコネクタ３１、３１と、長手方向の両端に配置され、ＤＣＰ３を取り付けるためのフック３２、３２と、長手方向の中央部に配置され、着脱時にＤＣＰ３をスライド方向にガイドするガイド部３３とを備えている。
【００２４】
スロープ機構１２は、図６に示すように、リンク機構１３、駆動モータ（図示せず）を備えている。この駆動モータは、減速歯車列により駆動力をリンク機構１３に伝え、その駆動力によってリンク機構１３が回動し、図３を用いて説明したようにＤＣＰホルダ３０が前側に傾動することになる。なお、上述したスロープ機構１２は、図示しないスロープ制御手段によって制御され、ＤＣＰホルダ３０が傾動するようになっている。
【００２５】
コネクタ３１は、ＤＣＰ３を取り付けた状態で、ＤＣＰ３の裏側に配設された２つのコネクタ（図示せず）と接続されるようになっている。このコネクタ３１の接点は、ＤＣＰ３が、図４に示すＡ方向に外れるように、スライド方向上側に向けられている。また、このコネクタ３１は、装置本体２の内部に設けられたメイン基板（図示せず）とフレキシブルプリント配線（図示せず）を介して接続されている。すなわち、ＤＣＰ３とＤＣＰホルダ３０とがコネクタ３１、３１で接続されると、ＤＣＰ３側と装置本体２との間でボタン操作によるコマンド信号や、表示部へ各種情報を表示するための信号等が送受されることになる。
【００２６】
図７は、ＤＣＰ３をＤＣＰホルダ３０に取り付けた状態であって、フック３２がＤＣＰ３のフック引っ掛け部１５に係合している状態を示す要部拡大図である。また、図８は、ＤＣＰ３を取り外すときのフック３２の位置を示し、図９は、ＤＣＰ３を保持しているときのフック３２の位置を示す拡大図である。
フック３２は、ＤＣＰ３をＤＣＰホルダ３０に取り付け、保持させるためのものである。このフック３２は、フック回動ピン３４を中心に回動自在に支持されており、ばね３６の付勢力によって、図７に示す状態にロックされている。すなわち、フック３２は、ＤＣＰ３の裏側に位置するフック通過穴部３５に挿入されて、フック引っ掛け部１５と係合した状態で、ばね３６の付勢力によって係合状態が保持されるようになっている。
【００２７】
通常、ＤＣＰ３は摩擦力によってＤＣＰホルダ３０に保持されており、上方向へはＤＣＰ３の自由度を持たせて取り外せるようになっている。ＤＣＰ３を取り外す場合には、ＤＣＰ３をスライドさせ、フック３２がＤＣＰ３の裏側に位置するリアカバー３ａのフック引っ掛け部１５から外れる位置まで移動させる。
【００２８】
ガイド部３３は、ＤＣＰ３の裏側に形成されたガイド溝（図示せず）と嵌り合い、ＤＣＰ３を上下にスライドさせる際のガイドの役割を果たすものである。このガイド部３３によってＤＣＰ３がガイドされることによって、スライド時のＤＣＰ３の幅方向における位置決めがなされることになり、ＤＣＰ３の着脱時にコネクタ３１の接続が幅方向においてずれないようになっている。
【００２９】
図１１は、ＤＣＰホルダ３０に保持されたＤＣＰ３が装置本体２に取り付けられるときの、枠体１１とＤＣＰ３との位置関係を示した側面図である。
ＤＣＰ３は、装置本体２に取り付けられる際に、ＤＣＰホルダ３０に保持され（フック３２に係合され）たままの状態で枠体１１に嵌め込まれるようになっている。この枠体１１は、ＤＣＰ３の外形状とほぼ等しい矩形形状をなしている。このＤＣＰ３の後部が嵌り込む内側嵌合部１１ａ（嵌合凹部）は、ＤＣＰ３が取り付けられた状態で、ＤＣＰ３の上面部３ｃと隙間をあけて対向する上面部４１、下面部３ｂと隙間をあけて対向する下面部４２、側面部３ｄと隙間をあけて対向する左側壁部４３および右側壁部４４とで構成されている。
【００３０】
図１１に示すように、ＤＣＰ３を装置本体２に向けて（図１０の矢印Ｂ方向）押し込んだとき、ＤＣＰ３は、枠体１１の内側嵌合部１１ａ内に上面部３ｃから最初に入り込むようになる。同時に、ＤＣＰ３の側面部３ｄ、３ｄ、下面部３ｂの順に内側嵌合部１１ａに入り込み、図１１に示すように、最終的にＤＣＰ３が内側嵌合部１１ａに完全に嵌り込むようになっている。
【００３１】
図１０は、ＤＣＰ３が装置本体にスロープ機構１２により引き込まれる途中、かつハーフロックの状態を表した図であり、図１１に比べ、ＤＣＰ３がＤＣＰホルダ３０に対し、やや上方にずれている。
一方、枠体１１の上面部４１には、内側嵌合部１１ａの内方に向けて下側に突出する２つの突起４５、４５が形成されている。この突起４５、４５は、図１０および図１１に示すように、枠体１１の奥行き方向に亘って延在しており、ＤＣＰ３が枠体１１に嵌め込まれるときに、突起４５の先端部４５ａがＤＣＰ３の上面部３ｃと当接するようになっている。この突起４５、４５の突出長さは、先端部４５ａがＤＣＰ３の上面部３ｃと当接したときに、ＤＣＰ３とＤＣＰホルダ３０とのコネクタ３１が上下方向において確実に接触するように、ＤＣＰ３を下側に向けて押し下げることのできる長さになっている。
【００３２】
図１２（ａ）は、突起４５、４５とコネクタ３１、３１との位置関係を示す正面図である。この突起４５、４５は、枠体１１を正面から見て、２つのコネクタ３１、３１の上側の位置となるように配設されている。すなわち、この突起４５、４５は、ＤＣＰ３の下面部に物や利用者の手が当たってしまい、ＤＣＰ３がＤＣＰホルダ３０の正規の取付位置よりも上側にずれて取り付けられた状態であっても、ＤＣＰ３を枠体１１の内側嵌合部１１ａにＤＣＰ３がスロープ機構１２により引き込まれたときに、ＤＣＰ３を下側に押し下げる機能を果たしている。特に、この突起４５、４５は、コネクタ３１、３１の上下方向における接触不良が生じないようにするためのものであり、コネクタ３１、３１の上側の位置に配置することによって、コネクタ３１の接続をより確実に矯正することができ、より接触不良が生じるおそれを低減することができる。
【００３３】
本発明の実施の形態に係るパネル取付構造によれば、装置本体２と、この装置本体の側部前面にコネクタ３１を介して着脱可能に取り付けられるＤＣＰ３と、このＤＣＰ３を前側に引き出し可能なＤＣＰホルダ３０とを備え、装置本体２は、ＤＣＰ３の外側部が嵌り込む嵌合凹部１１ａを備え、この嵌合凹部１１ａは、ＤＣＰ３を装置本体２に取り付けたときにＤＣＰ３と当接してコネクタ３１の接続位置を矯正する突起４５を備えているので、ＤＣＰ３を装置本体２に取り付けた後に外力などにより、ＤＣＰ３がハーフロックの状態になったとしても、スロープ機構１２がＤＣＰ３を引き込むときにＤＣＰ３が突起４５によって正常な位置に誘導されて、コネクタ３１が正常に接続されるようになる。そのため、ＤＣＰ３が装置本体２に取り付けられたあとにハーフロックの状態になったとしてもＤＣＰ３が正規の嵌合位置に戻るためコネクタ３１の接続不良が生じるのを防止することができる。さらには、ロック機構自体を装置本体２に設ける必要がなくなり、装置本体の構造を簡素化することができるとともに、コストを削減することができる。
【００３４】
また、突起４５は、ＤＣＰ３を装置本体２に取り付けたときに、ＤＣＰ３を下側に向けて押圧するように構成されているので、ＤＣＰ３がＤＣＰホルダ３０にハーフロックの状態（ＤＣＰ３がＤＣＰホルダ３０に対して上側に浮いた状態）にずれてしまったとしても、装置本体２にＤＣＰホルダ３０と共にＤＣＰ３がスロープ機構１２により引き込まれる際に突起４５によって下側に押し込まれるようになるので、コネクタ３１の接続不良が生じない。
【００３５】
さらに、突起４５、４５がコネクタ３１、３１の上方に配置されているので、コネクタ３１、３１の接続をより確実に矯正することができ、より接触不良が生じるおそれを低減することができる。
【００３６】
また、前記突起は、前記嵌合凹部の前後方向（奥行き方向）に延在しているので、ＤＣＰ３を奥行き方向において傾かないようにすることができる。すなわち、ＤＣＰ３をＤＣＰホルダ３０に対して平行な状態にせしめ、かつコネクタ３１の上下方向の接続位置を矯正することができる。
【００３７】
以上、本発明を実施するための最良の形態について述べたが、本発明は既述の実施形態に限定されるものではなく、本発明の技術思想に基づいて各種の変形および変更が可能である。
例えば、本実施の形態では、突起４５をコネクタ３１、３１の上側の位置に配設されているが、コネクタ３１の接触不良を防止することができれば、上側の位置からずれた位置に配設されていてもかまわない。さらに、図１２（ｂ）に示すように、ＤＣＰ３の上側であって、ＤＣＰ３の幅方向のほぼ全域に亘って突起４５を形成してもよい。この構成によれば、ＤＣＰ３の取付時に、ＤＣＰ３を確実に下側に押し下げるようになるので、より確実にコネクタ３１の接触不良を防止することができる。
【００３８】
さらには、本実施の形態では、枠体１１の嵌合凹部１１ａにＤＣＰ３の外側形状が嵌り込むようにしているが、嵌合凹部１１ａにＤＣＰ３の一部が嵌り込む構造であってもよい。すなわち、嵌合凹部に形成された突起４５とＤＣＰ３の一部が当接し、ＤＣＰ３の位置が矯正される構造であってもよい。これによれば、本実施の形態と同様に、コネクタ３１の接続不良を発生し難くすることができる。
【図面の簡単な説明】
【００３９】
【図１】本発明の実施の形態に係るパネル取付構造によって取り付けられた操作パネルの正面図である。
【図２】図１の状態から操作パネルが取り付けられたＤＣＰホルダを前方に引き出した状態の正面図である。
【図３】図２の側面図であって、ＤＣＰが前側に引き出される軌跡を示した図である。
【図４】ＤＣＰホルダを取り外そうとしている斜視図である。
【図５】ＤＣＰホルダを装置本体に取り付けようとしている斜視図である。
【図６】ＤＣＰホルダ及びスロープ機構の概要を示す斜視図である。
【図７】ＤＣＰをＤＣＰホルダに取り付けた状態であって、フックがＤＣＰのフック引っ掛け部に係合している状態を示す要部拡大図である。
【図８】ＤＣＰを取り外すときのフックの位置を示すＤＣＰ裏側の拡大図である。
【図９】ＤＣＰを保持しているときのフックの位置を示すＤＣＰ裏側の拡大図である。
【図１０】ＤＣＰを装置本体に取り付け後、ＤＣＰが上方にずれた位置関係を示す側面図である。
【図１１】ＤＣＰが引き込まれたときの枠体とＤＣＰとの正規の位置関係を示す側面図である。
【図１２】突起とコネクタとの位置関係を示す正面図である。
【符号の説明】
【００４０】
１  カーオーディオ装置
２  装置本体
３  ＤＣＰ（操作パネル）
３ａ  リアカバー
３ｂ  下面部
３ｃ  上面部
３ｄ  側面部
５  液晶パネル
６  タッチパネル
７  操作キー
７Ａ  電源・ボリュームキー
７Ｂ  ソースボタン
７Ｃ  オープン・イジェクトボタン
７Ｄ  アジャストボタン
７Ｅ  モードボタン
７Ｆ  サウンドボタン
７Ｇ  ＩＳＲボタン
８Ａ  上フレーム
８Ｂ  下フレーム
９  凹部
１０  操作キー
１１  枠体
１１ａ  内側嵌合部（嵌合凹部）
１２  スロープ機構
１３  リンク機構
１４ａ、１４ｂ  受光窓
１５  フック引っ掛け部
１６  駆動モータ
２０  挿入口
３０  ＤＣＰホルダ
３１  コネクタ
３２  フック
３３  ガイド部
４１  上面部
４２  下面部
４３  左側壁部
４４  右側壁部
４５、１４５  突起
４５ａ  先端部
【図１】
2009076751.tif 000003
【図２】
2009076751.tif 000004
【図３】
2009076751.tif 000005
【図４】
2009076751.tif 000006
【図５】
2009076751.tif 000007
【図６】
2009076751.tif 000008
【図７】
2009076751.tif 000009
【図８】
2009076751.tif 000010
【図９】
2009076751.tif 000011
【図１０】
2009076751.tif 000012
【図１１】
2009076751.tif 000013
【図１２】
2009076751.tif 000014